(57)【特許請求の範囲】
【請求項１】
掃除機本体と、
前記掃除機本体に収容されるとともに、吐出口を有する電動送風機ケースと、
前記電動送風機ケースに収容されるとともに、ファン部と排気口が形成されたモータ部とを有する電動送風機と、
前記電動送風機ケースの周方向に離間させて設けられ、前記電動送風機の径方向に圧縮力を付勢され、前記電動送風機を前記電動送風機ケース内に弾性支持する複数のコイルバネとを備え、
前記コイルバネは、前記電動送風機と前記電動送風機ケースとの間の空間であって、前記排気口から前記吐出口を経て前記電動送風機ケース外に流れ出す排気の主流の流線が包含される第一空間以外の第二空間側に配設されたことを特徴とする電気掃除機。
【請求項２】
前記複数のコイルバネは、前記コイルバネそれぞれの中心軸線が前記電動送風機の重心近傍で交わり、前記電動送風機ケースの周方向に略等間隔に離間させて放射状に配設されたことを特徴とする請求項１に記載の電気掃除機。
【請求項３】
前記吐出口は、互いに隣り合う一対の前記コイルバネに挟まれた弧の略中央に設けられたことを特徴とする請求項１または２に記載の電気掃除機。
【発明の詳細な説明】
【技術分野】
【０００１】
本発明は、電動送風機を収容する電動送風機ケースに、電動送風機の発生する振動を絶縁する防振支持部を備えた電気掃除機に関する。
【背景技術】
【０００２】
一般に電気掃除機は、掃除機本体に収容された電動送風機の作動によって生じる負圧を利用して、掃除機本体に連通された集塵ホースの先端に設けられた吸込口体から空気とともに床などの被掃除面に溜まった塵埃を吸い込み、掃除機本体に内装された高速分離方式の塵埃除去手段あるいはフィルタで塵埃を捕獲して、被掃除面の掃除を行う。
【０００３】
電気掃除機に用いる電動送風機では作動流体である空気中に必ず不必要な圧力変動が引き起こされ、この圧力変動が周囲に伝ぱして騒音になる。例えば電動送風機のファン部の動翼の運動につれて空間には周期的な圧力変動が起こり、この圧力変動が騒音として伝ぱする。また、電動送風機では、サージングなどの流体的な振動と、回転体のアンバランスによる機械的な振動とが生じる。このような電動送風機の騒音や振動を防振する防振支持部の条件は、振幅の小さい位置を充分に柔らかく支持することが望ましい。また、電動送風機の径方向にはその重量を、軸方向には電動送風機の作動によって生じる吸引力をそれぞれ支持する必要がある。
【０００４】
そこで、特許文献１には、電動送風機の重心近くと掃除機本体との間に架設されたばね部材と、モータと掃除機本体との間に空隙を設けて設置された衝撃吸収用の後部弾性体と、ファン部外周と掃除機本体との間に空隙を設けて設置された衝撃吸収用の前弾性体とを用いて、電動送風機を掃除機本体に弾性支持する電気掃除機が記載される。
【０００５】
図６は、従来の電気掃除機の電動送風機を収容する掃除機本体の部分的な断面図である。
【０００６】
図６に示すように、特許文献１に記載された従来の電気掃除機４０は、掃除機本体２と、掃除機本体２内に形成された電動送風機収容室４２と、電動送風機収容室４２内に収容され、引張弾性支持体４３によって弾性支持された電動送風機１０とを有する。
【０００７】
引張弾性支持体４３は、掃除機本体２に設けられた外周リング４５と、電動送風機１０の重心近くに形成されたファン部１０ｂの端面４６と取付リブ４７との間に設けられた内周リング４８と、一端を外周リング４５に、他端を内周リング４８に固定されて引張力が付勢されたバネ材であるコイルバネ４９とから構成される。電動送風機１０の軸方向と径方向とは、引張弾性支持体４３によって弾性支持される。
【０００８】
電動送風機１０のファン部１０ｂには、ゴム質の略円筒形状の衝撃吸収用の前弾性体５０が取り付けられる。掃除機本体２の内壁には、固着された環状の前リブ５１と、電動送風機１０の軸方向に突設された端リブ５２とが形成される。前リブ５１および端リブ５２と前弾性体５０との間は空隙５３によって離間される。
【０００９】
電動送風機１０のモータ部１０ｄの軸受ハウジング部１０ｇには、ゴム質の円筒形状の衝撃吸収用の後部弾性体５６が取り付けられる。後部弾性体５６の周囲には、掃除機本体２の内壁から後リブ５７が突設される。後リブ５７と後部弾性体５６との間は空隙５８によって離間される。
【００１０】
掃除機本体２内に形成された集塵部６１と電動送風機収容室４２との仕切り板６２には、電動送風機１０の吸気口１０ａに連通する孔が形成された円板形状のシール５９が設けられる。シール５９に形成された孔の縁部には円筒ツバ部６０が形成され電動送風機１０の吸気口１０ａの周縁部に当接される。
【００１１】
図７は、従来の電気掃除機の電動送風機を弾性支持する弾性支持体の電動送風機の軸方向の特性を示す図である。
【００１２】
図７に示すように、引張弾性支持体４３のコイルバネ４９によって弾性支持された電動送風機１０は、その軸方向に加わる力と変位との関係が非線形な特性になる。すなわち、電動送風機１０の軸方向に加えられた微小な振動に対してはコイルバネ４９によって柔軟に支持され、電動送風機１０の吸引力によって生じる静的な力や掃除機本体２に落下衝撃などによる大きな力に対しては強く支持される。
【特許文献１】特開平５−８４１９４号公報
【発明の開示】
【発明が解決しようとする課題】
【００１３】
特許文献１に記載の従来の電気掃除機の電動送風機は、引張力を付勢されたコイルバネによって掃除機本体内に引張弾性支持され、その径方向に働く力は柔軟に支持され、他方その軸方向に働く力は軸方向の変位の増加に伴い強く支持される。したがって、電動送風機の作動によって生じる振動が掃除機本体に伝達されるのを防ぐことができる。
【００１４】
ここで、騒音や振動の防振の観点では、防振支持部を構成するコイルバネのバネ定数は小さいことが好ましい。
【００１５】
しかし、特許文献１に記載の従来の電気掃除機の電動送風機では、コイルバネに引張力を付勢するためにコイルバネを自由長よりも十分に伸張させる必要がある。したがって、電動送風機収容室の壁面と電動送風機との間隔を十分に離間させる必要があり、電気掃除機を小型化できない。
【００１６】
他方、電動送風機収容室には電動送風機の作動によって空気が排出される。この電動送風機の排気の流れの中にコイルバネのような障害物が存すると、障害物の周囲では空気の圧力変化が生じて騒音を生じる。また、この空気の圧力変化によってコイルバネに振動が励起されると、防振支持部であるところのコイルバネによって電気掃除機が加振される虞がある。
【００１７】
ここで、例えば電動送風機を電動送風機ケースに収容し、この電動送風機ケースを電気掃除機本体内に収容することで電動送風機の作動による騒音と振動とを防音、防振する場合があり、この場合であっても電動送風機収容室と同じ課題を有する。
【００１８】
本発明は、掃除機本体に収容される電動送風機を弾性支持して、電動送風機の作動による騒音と振動を防音、防振でき、かつ電動送風機が収容される空間を小型化できる電気掃除機を提案する。
【課題を解決するための手段】
【００１９】
前記の課題を解決するため本発明では、掃除機本体と、前記掃除機本体に収容されるとともに、吐出口を有する電動送風機ケースと、前記電動送風機ケースに収容されるとともに、ファン部と排気口が形成されたモータ部とを有する電動送風機と、前記電動送風機ケースの周方向に離間させて設けられ、前記電動送風機の径方向に圧縮力を付勢され、前記電動送風機を前記電動送風機ケース内に弾性支持する複数のコイルバネとを備え、前記コイルバネは、前記電動送風機と前記電動送風機ケースとの間の空間であって、前記排気口から前記吐出口を経て前記電動送風機ケース外に流れ出す排気の主流の流線が包含される第一空間以外の第二空間側に配設されたことを特徴とする。
【発明の効果】
【００２０】
本発明によれば、掃除機本体に収容される電動送風機を弾性支持して、電動送風機の作動による騒音と振動を防音、防振でき、かつ電動送風機が収容される空間を小型化できる電気掃除機を提案することができる。
【発明を実施するための最良の形態】
【００２１】
本発明に係る電気掃除機の実施形態について図１から図５を参照して説明する。
【００２２】
図１は、本発明に係る電気掃除機の外観を示した図である。
【００２３】
図１に示すように、本実施形態に係る電気掃除機１は、掃除機本体２と、掃除機本体２に設けられた接続口２ａに一端が着脱白在に接続された集塵ホース３と、集塵ホース３の他端に一端が設けられた手元操作管４と、手元操作管４の他端に一端が着脱自在に接続された延長管５と、延長管５の他端に着脱自在に接続された吸込口体６とを備える。
【００２４】
手元操作管４には操作部４ａが設けられ、操作部４ａには掃除機本体２に収容された電動送風機１０の駆動を停止する切スイッチ４ｂや電動送風機１０の送風力を設定する強弱スイッチ４ｃなどが設けられる。
【００２５】
吸込口体６には、下面に塵埃を吸引する吸込開口（図示省略）が形成され、吸込口体６内部に形成された吸込室（図示省略）に連通される。この吸込室は延長管５と手元操作管４と集塵ホース３とを介して接続口２ａから掃除機本体２内へ連通される。
【００２６】
掃除機本体２は、その内部に収容され、接続口２ａを介して吸込口体６に負圧を作用させる電動送風機１０と、電動送風機１０の生じた負圧によって空気とともに吸い込んだ塵埃を空気から分離して集塵する着脱可能な塵埃分離集塵ユニット（図示省略）と、この塵埃分離集塵ユニットに塵埃が捕集された空気を電動送風機１０の排気風として掃除機本体２の外部に排気する本体排気口（図示省略）とを備える。
【００２７】
図２は、本発明に係る電気掃除機の電動送風機を収容する電動送風機ケースを部分的に切り欠いて示した斜視図である。
【００２８】
図２に示すように、電気掃除機１の電動送風機１０は、掃除機本体２に収容された電動送風機ケース１２内に弾性支持体１３によって圧縮弾性支持される。
【００２９】
電動送風機１０は、吸気口１０ａが形成されたファン部１０ｂと、排気口１０ｃが形成されたモータ部１０ｄから構成される。
【００３０】
ファン部１０ｂは、その内部に回動可能に収容された遠心ファン（図示省略）の外周に対向させて形成された環状の段差部１０ｅを有するファンカバー１０ｆに覆われる。吸気口１０ａには、ファン部１０ｂ内に連通された孔を有する整流部材１４が設けられる。
【００３１】
なお、説明を容易にするために以下、図２に示す姿勢を基本姿勢とし、実線矢Ｘを前方、実線矢Ｙを左方、実線矢Ｚを上方として前後、上下および左右の方向説明を行う。
【００３２】
電動送風機ケース１２はＡＢＳなどの樹脂によって形成され、吸気側ケース部材１５と、排気側ケース部材１６とから構成される。
【００３３】
吸気側ケース部材１５は、略円筒形状に形成され、掃除機本体２と電動送風機１０の吸気口１０ａとを連通させる孔を有するシール部材１７が嵌め込まれたシール部材取付孔１５ａが形成された吸気口側壁部１５ｂを一端に有し、他端が開放される。
【００３４】
排気側ケース部材１６は、略円筒形状に形成され、排気口側壁部１６ａを一端に有し、他端が開放される。
【００３５】
吸気側ケース部材１５の開口側端部１５ｃと、排気側ケース部材１６の開口側端部１６ｂには、それぞれ嵌合溝１５ｄ、１６ｃが形成され嵌め合わされるとともに、吸気側ケース部材１５の開口側端部１５ｃに形成された吸気側ケース結合部２０に、排気側ケース部材１６の開口側端部１６ｂに形成された排気側ケース結合部２１が螺着されて吸気側ケース部材１５と排気側ケース部材１６とが一体的に結合される。
【００３６】
吸気側ケース部材１５の内壁部１５ｅには、排気側ケース部材１６の嵌合溝１６ｃに対向する円環状の段差面２４を有する弾性支持体嵌合凹部２５が形成される。弾性支持体１３は、弾性支持体嵌合凹部２５に嵌め込まれ、吸気側ケース部材１５の段差面２４と、排気側ケース部材１６の嵌合溝１６ｃとの間に挟持される。
【００３７】
したがって、吸気側ケース部材１５の胴部１５ｆに形成された弾性支持体嵌合凹部２５によって弾性支持体１３の径方向変位が拘束され、吸気側ケース部材１５の段差面２４と排気側ケース部材１６の嵌合溝１６ｃとによって弾性支持体１３の軸方向変位が拘束される。
【００３８】
シール部材１７は、電動送風機１０の軸方向変位を弾性支持して振動を絶縁する軸方向防振支持部である。すなわち、シール部材１７は電動送風機１０の作動によって生じる吸引力に抗して電動送風機１０の軸方向変位を支持し、かつ電動送風機１０の作動によって生じる軸方向の振動を防振する。
【００３９】
また、シール部材１７は、電動送風機１０の上流側に大口径開口部１７ａを有する第１の截頭円錐中空体部１７ｂと、整流部材１４が嵌め込まれた筒体部１７ｃと、吸気側ケース部材１５のシール部材取付孔１５ａに嵌め込まれた嵌合部１７ｄと、電動送風機１０のファンカバーに当接された大口径開口部１７ｅを有する第２の截頭円錐中空体部１７ｆとから構成される。
【００４０】
第１の截頭円錐中空体部１７ｂの大口径開口部１７ａは塵埃分離集塵ユニットに連通された掃除機本体２の連通路（図示省略）の周縁部に当接される。
【００４１】
第１の截頭円錐中空体部１７ｂの小径部１７ｇには電動送風機１０の吸気口１０ａに連通された孔を有する環状の輪体部１７ｈが形成される。また、第１の截頭円錐中空体部１７ｂの小径部１７ｇの縁に沿って、略円筒形状の筒体部１７ｃが電動送風機ケース１２内部に向かって延設される。
【００４２】
第１の截頭円錐中空体部１７ｂの側壁部１７ｉには、シール部材取付孔１５ａに嵌め込まれた周方向嵌合溝部１７ｊと、シール部材取付孔１５ａの周縁から電動送風機ケース１２内部に向かって延設されたシール部材取付リブ１２ｄに嵌め込まれた軸方向嵌合溝部１７ｋとが形成された嵌合部１７ｄが延設される。嵌合部１７ｄには第２の截頭円錐中空体部１７ｆの小径部１７ｌが連続して形成される。
【００４３】
すなわち、シール部材１７は、掃除機本体２の連通路と電動送風機１０の吸気口１０ａとが連通されるケース部吸込口１７ｍを構成するとともに、掃除機本体２の連通路および電動送風機１０の吸気口１０ａとの当接部をそれぞれ封止する。
【００４４】
図３は、本発明に係る電気掃除機の電動送風機を収容する電動送風機ケースを部分的に切り欠いて示した斜視図である。
【００４５】
図３に示すように、電動送風機１０のモータ部１０ｄは、その内部に回動可能に収容されたロータ（図示省略）を回動可能に軸支する軸受（図示省略）が支持される軸受ハウジング部１０ｇが形成されたモータカバー１０ｈに覆われる。モータカバー１０ｈの前端側には電動送風機１０の重心が位置し、モータカバー１０ｈの側壁部１０ｉの後端部、すなわち電動送風機１０の後端部には排気口１０ｃが形成される。
【００４６】
排気側ケース部材１６の排気口側壁部１６ａには、電動送風機１０のモータ部１０ｄの軸受ハウジング部１０ｇが離間されて挿入される軸受ハウジング挿入凸部１６ｄが突設される。軸受ハウジング挿入凸部１６ｄは弾性な衝撃緩衝部材２６によって覆われる。衝撃緩衝部材２６は、掃除機本体２の落下などによる過度の衝撃力が電動送風機ケース１２に作用した際に、掃除機本体２の内壁（図示省略）と電動送風機ケース１２との間で生じる衝撃力を緩衝する。
【００４７】
弾性支持体１３は、電動送風機１０が発生する振動を絶縁する防振支持部であって、電動送風機ケース１２の内壁部１５ｅに設けられた外周リング２８と、電動送風機１０の重心近くに設けられた内周リング２９と、一端を外周リング２８に、他端を内周リング２９に固定されて圧縮力が付勢された弾性支持部材であるコイルバネ３０とから構成される。電動送風機１０の軸方向と径方向とは、弾性支持体１３によって電動送風機ケース１２内に弾性支持される。
【００４８】
外周リング２８は環状に形成され、吸気側ケース部材１５の弾性支持体嵌合凹部２５の内周に周設されたリング部２８ａと、リング部２８ａから径方向内側に突設された凸部２８ｂと、吸気側ケース部材１５の段差面２４に当接されたリング部２８ａの端部から径方向内側に突設された補強リブ部２８ｃとから構成される。また、外周リング２８は、ＡＢＳなどの樹脂を用いて形成される。
【００４９】
内周リング２９は環状に形成され、電動送風機１０のモータ部１０ｄの外周に周設されたリング部２９ａと、リング部２９ａから径方向外側に突設された凸部２９ｂとから構成される。また、内周リング２９は、ＡＢＳなどの樹脂を用いて形成される。
【００５０】
リング部２９ａには、内周リング２９をモータ部１０ｄの外周に嵌め込む際の分割部２９ｃが形成され、分割部２９ｃにはリング部２９ａを締め付けるフランジ部２９ｄが形成される。また、リング部２９ａは、電動送風機１０のブラシ機構１０ｊに係止させて内周リング２９の周方向変位を拘束する係止凹部２９ｅが形成される。
【００５１】
外周リング２８に設けられた凸部２８ｂと、内周リング２９に設けられた凸部２９ｂとは、離間させて対向される。
【００５２】
コイルバネ３０には圧縮力が付勢され、その一端が外周リング２８の凸部２８ｂに嵌め込まれ、他端が内周リング２９の凸部２９ｂに嵌め込まれて外周リング２８と内周リング２９との間に架設される。コイルバネ３０は２本以上の所要の本数、好ましくは３本以上が用いられ、本実施形態では、例えば３本のコイルバネ３０が電動送風機ケース１２の周方向に略等間隔に離間され、放射状に設けられる。それぞれのコイルバネ３０の中心軸線は電動送風機１０の重心近傍で交わるよう配設される。
【００５３】
すなわち、電動送風機１０は、電動送風機１０の径方向に圧縮力を付勢されたコイルバネ３０によって内周リング２９と外周リング２８とを介して電動送風機ケース１２内に弾性支持される。コイルバネ３０の代わりに、外周リング２８と内周リング２９との間に圧縮力を付勢可能な板バネ、トーションバーなどの他の形式のバネや弾性体を用いて弾性支持体１３を構成しても良い。
【００５４】
弾性支持体１３は、コイルバネ３０に圧縮力を作用させて電動送風機１０を弾性支持するため、同じ線径、外径および巻数で構成されたコイルバネに引張力を作用させて電動送風機１０を弾性支持する場合に比べて、外周リング２８と内周リング２９との離間距離を狭く構成することができる。すなわち、電動送風機１０と電動送風機ケース１２との離間距離を極力狭く構成し、電動送風機ケース１２の外径を小さくできるので電動送風機ケース１２の小型化、軽量化が可能になる。
【００５５】
電動送風機ケース１２には、電動送風機１０の排気口１０ｃから流れ出る空気を電動送風機ケース１２から排気するケース部吐出口１２ａが形成される。
【００５６】
ケース部吐出口１２ａは、吸気側ケース部材１５に形成された吸気側ケース凹部１５ｇと、弾性支持体１３の外周リング２８に形成された外周リング凹部２８ｄと、排気側ケース部材１６に形成された排気側ケース凹部１６ｅとから構成される。
【００５７】
外周リング凹部２８ｄは、外周リング２８のリング部２８ａの後方から軸方向略中央に亘って形成される。外周リング凹部２８ｄに対応して、吸気側ケース部材１５の吸気側ケース凹部１５ｇが形成される。
【００５８】
排気側ケース凹部１６ｅは、排気側ケース部材１６の胴部１６ｆの開口側端部１６ｂから排気口側壁部１６ａの縁部に亘って形成される。
【００５９】
図４は、本発明に係る電気掃除機の電動送風機を部分的に切り欠き、電動送風機ケースの排気側ケース部材を取り外して示した背面図である。
【００６０】
図４に示すように、電動送風機ケース１２のケース部吐出口１２ａは、外周リング２８と内周リング２９との間に架設された複数のコイルバネ３０のうち、互いに隣り合う一対のコイルバネ３０に挟まれた弧の略中央に所要の開口面積を有して開口される。本実施形態に係る電動送風機ケース１２では、例えば、弾性支持体１３の有する３本のコイルバネ３０が周方向に略等間隔に離間させて設けられる。上下方向に沿って架設されるコイルバネ３０ａを基準にすると、それぞれのコイルバネ３０が略１２０度毎に離間されて架設され、下方に位置する２本のコイルバネ３０ｂからなる弧の略中央となる電動送風機ケース１２の側壁部１２ｃの下方側にケース部吐出口１２ａが形成される。
【００６１】
電動送風機１０のモータ部１０ｄの排気口１０ｃは、円筒状のモータカバー１０ｈに放射状に、例えば４箇所が形成される。具体的には、排気口１０ｃは、電動送風機ケース１２の右斜め上方、右斜め下方、左斜め上方、左斜め下方にそれぞれ等間隔に離間されて形成される。
【００６２】
図５は、本発明に係る電気掃除機の電動送風機を収容する電動送風機ケースを部分的に透視した斜視図である。
【００６３】
図５に示すように、電動送風機１０の外面と電動送風機ケース１２の内面との間の空間は、電動送風機１０の排気口１０ｃからケース部吐出口１２ａを経て電動送風機ケース１２外に流れ出す排気の主流の流線が包含される空間Ｓと、この排気の主流の流線が包含されない空間Ｓｏとに分けられる。
【００６４】
弾性支持体１３のコイルバネ３０は、排気の主流の流線が包含される空間Ｓの外側の空間Ｓｏ側に配設される。すなわち、電動送風機１０の排気口１０ｃから排気されて電動送風機ケース１２内に流入し、ケース部吐出口１２ａから電動送風機ケース１２外に流れ出す排気の主流の外側にコイルバネ３０が配設される。
【００６５】
ケース部吐出口１２ａの周縁部、すなわち電動送風機ケース１２の下部には、電動送風機ケース１２を掃除機本体２内に懸架する懸架装置（図示省略）が設けられる球面座３１が形成される。
【００６６】
本実施形態に係る電気掃除機１では、電動送風機１０の作動によって吸気口１０ａから吸引された空気は、電動送風機１０の内部を流動し、モータ部１０ｄを冷却しつつ排気口１０ｃから電動送風機ケース１２内に流れ出し、電動送風機ケース１２内の圧力を上昇させる。電動送風機ケース１２のケース部吐出口１２ａの下流側は掃除機本体２に形成された本体排気口を介して大気に開放される。したがって、電動送風機ケース１２内に流れ出した電動送風機１０の排気の主流は、電動送風機ケース１２の内面と電動送風機１０の外面によって囲まれ、排気口１０ｃとケース部吐出口１２ａとを包含するコイルバネ３０よりも後方側の空間Ｓに形成される。特に、電動送風機ケース１２は円筒状に形成されているので、排気は空間Ｓの電動送風機ケース１２の内壁に沿って流れてケース部吐出口１２ａから排出される（コアンダ効果）。他方、電動送風機ケース１２内の空間Ｓを除いた空間Ｓｏには電動送風機１０の排気はほとんど流れ込まない。
【００６７】
すなわち、電動送風機ケース１２内の空間Ｓを流れる電動送風機１０の排気風の主流に比べて、空間Ｓｏに包含される弾性支持体１３のコイルバネ３０の周囲には流速の早い空気の流れが生じない。
【００６８】
したがって、本実施形態に係る電気掃除機１によれば、コイルバネ３０の周囲の空気の圧力変化に起因する騒音の発生を効率的に抑制できる。また、この空気の圧力変化によってコイルバネ３０に振動が励起されることもない。
【００６９】
したがって、本実施形態に係る電気掃除機１によれば、掃除機本体２に収容される電動送風機１０を弾性支持して、電動送風機１０の作動による騒音と振動を防音、防振でき、かつ電動送風機１０が収容される空間を小型化できる。
【図面の簡単な説明】
【００７０】
【図１】本発明に係る電気掃除機の外観を示した図。
【図２】本発明に係る電気掃除機の電動送風機を収容する電動送風機ケースを部分的に切り欠いて示した斜視図。
【図３】本発明に係る電気掃除機の電動送風機を収容する電動送風機ケースを部分的に切り欠いて示した斜視図。
【図４】本発明に係る電気掃除機の電動送風機を部分的に切り欠き、電動送風機ケースの排気側ケース部材を取り外して示した背面図。
【図５】本発明に係る電気掃除機の電動送風機を収容する電動送風機ケースを部分的に透視した斜視図。
【図６】従来の電気掃除機の電動送風機を収容する掃除機本体の部分的な断面図。
【図７】従来の電気掃除機の電動送風機を弾性支持する弾性支持体の電動送風機の軸方向の特性を示す図。
【符号の説明】
【００７１】
１  電気掃除機
２  掃除機本体
２ａ  接続口
３  集塵ホース
４  手元操作管
４ａ  操作部
４ｂ  切スイッチ
４ｃ  強弱スイッチ
５  延長管
６  吸込口体
１０  電動送風機
１０ａ  吸気口
１０ｂ  ファン部
１０ｃ  排気口
１０ｄ  モータ部
１０ｅ  段差部
１０ｆ  ファンカバー
１０ｇ  軸受ハウジング部
１０ｈ  モータカバー
１０ｉ  側壁部
１０ｊ  ブラシ機構
１０ｋ  縁部
１２  電動送風機ケース
１２ａ  ケース部吐出口
１２ｂ  シール部材取付リブ
１２ｃ  側壁部
１２ｄ  縁部
１３  弾性支持体
１４  整流部材
１５  吸気側ケース部材
１５ａ  シール部材取付孔
１５ｂ  吸気口側壁部
１５ｃ  開口側端部
１５ｄ  嵌合溝
１５ｅ  内壁部
１５ｆ  胴部
１５ｇ  吸気側ケース凹部
１６  排気側ケース部材
１６ａ  排気口側壁部
１６ｂ  開口側端部
１６ｃ  嵌合溝
１６ｄ  軸受ハウジング挿入凸部
１６ｅ  排気側ケース凹部
１６ｆ  胴部
１７  シール部材
１７ａ  大口径開口部
１７ｂ  第１の截頭円錐中空体部
１７ｃ  筒体部
１７ｄ  嵌合部
１７ｅ  大口径開口部
１７ｆ  第２の截頭円錐中空体部
１７ｇ  小径部
１７ｈ  輪体部
１７ｉ  側壁部
１７ｊ  周方向嵌合溝部
１７ｋ  軸方向嵌合溝部
１７ｌ  小径部
１７ｍ  ケース部吸込口
１８  コイルバネ
２０  吸込側ケース結合部
２１  排気側ケース結合部
２４  段差面
２５  弾性支持体嵌合凹部
２６  衝撃緩衝部材
２８  外周リング
２８ａ  リング部
２８ｂ  凸部
２８ｃ  補強リブ部
２８ｄ  外周リング凹部
２９  内周リング
２９ａ  リング部
２９ｂ  凸部
２９ｃ  分割部
２９ｄ  フランジ部
２９ｅ  係止凹部
３０、３０ａ、３０ｂ  コイルバネ
３１  球面座
４０  従来の電気掃除機
４２  電動送風機収容室
４３  引張弾性支持体
４５  外周リング
４６  ファン部端面
４７  取付リブ
４８  内周リング
４９  コイルバネ
５０  前弾性体
５１  前リブ
５２  端リブ
５３  空隙
５６  後部弾性体
５７  後リブ
５８  空隙
５９  シール
６０  円筒ツバ部
６１  集塵部
６２  仕切り板
【図１】
0005159350.tif 000002
【図２】
0005159350.tif 000003
【図３】
0005159350.tif 000004
【図４】
0005159350.tif 000005
【図５】
0005159350.tif 000006
【図６】
0005159350.tif 000007
【図７】
0005159350.tif 000008